(57)【要約】【課題】事業者に提示される身分証明書の画像データを活用して生活者の個人認証を行うことができる情報処理システム等を提供する。【解決手段】情報処理システムは、端末装置２、及び該端末装置２と通信を行う情報処理装置１を有する情報処理システムであって、前記端末装置２は、前記生活者の証明写真を読み取る読取部と、該読取部が読み取った前記証明写真を前記情報処理装置に送信する送信部とを備え、前記情報処理装置１は、前記各生活者の前記証明写真を含む個人情報を記憶する記憶部と、前記送信部が送信した前記証明写真を受信する受信部と、前記記憶部が記憶している前記証明写真と、前記受信部が受信した前記証明写真とが一致するか否かを判定する判定部とを備えることを特徴とする。【選択図】図１
2018032235.tif 000002
【特許請求の範囲】
【請求項１】
端末装置、及び該端末装置と通信を行う情報処理装置を有する情報処理システムであって、
前記端末装置は、
前記生活者の証明写真を読み取る読取部と、
該読取部が読み取った前記証明写真を前記情報処理装置に送信する送信部と
を備え、
前記情報処理装置は、
前記各生活者の前記証明写真を含む個人情報を記憶する記憶部と、
前記送信部が送信した前記証明写真を受信する受信部と、
前記記憶部が記憶している前記証明写真と、前記受信部が受信した前記証明写真とが一致するか否かを判定する判定部と
を備えることを特徴とする情報処理システム。
【請求項２】
前記情報処理装置は、前記判定部が判定した判定結果を出力する出力部を備える
ことを特徴とする請求項１に記載の情報処理システム。
【請求項３】
前記証明写真が一致すると前記判定部が判定した場合、前記出力部は、前記記憶部が記憶している前記個人情報を出力する
ことを特徴とする請求項２に記載の情報処理システム。
【請求項４】
前記端末装置は、文字入力を受け付ける入力部において入力された、又は前記読取部において前記証明写真を含む前記生活者の身分証明書から読み取られた、前記個人情報を示す文字情報を受け付ける受付部を備え、
前記情報処理装置又は端末装置は、前記出力部が出力する前記個人情報に基づき、前記受付部が受け付けた前記文字情報の正誤を判別する判別部を備える
ことを特徴とする請求項３に記載の情報処理システム。
【請求項５】
前記情報処理装置は、前記受信部が前記証明写真を受信した場合、前記個人情報の利用許諾を確認する利用確認通知を前記生活者宛に送信する第２送信部を備え、
前記受信部は、前記個人情報の利用を許諾する旨の応答を受信し、
前記受信部が前記応答を受信した場合、前記判定部は判定を行う
ことを特徴とする請求項１〜請求項４のいずれか１項に記載の情報処理システム。
【請求項６】
各生活者の証明写真を含む個人情報を記憶する記憶部と、
前記証明写真を外部装置から受信する受信部と、
前記記憶部が記憶している前記証明写真と、前記受信部が受信した前記証明写真とが一致するか否かを判定する判定部と、
前記証明写真が一致すると前記判定部が判定した場合、前記記憶部に記憶されている前記個人情報を出力する出力部と
を備えることを特徴とする情報処理装置。
【請求項７】
各生活者の証明写真を含む個人情報を記憶部に記憶し、
前記証明写真を外部装置から取得し、
前記記憶部に記憶している前記証明写真と、前記外部装置から取得した前記証明写真とが一致するか否かを判定し、
前記証明写真が一致すると判定した場合、前記記憶部に記憶されている前記個人情報を出力する
処理をコンピュータに実行させることを特徴とするプログラム。
【発明の詳細な説明】
【技術分野】
【０００１】
本発明は、情報処理システム、情報処理装置及びプログラムに関する。
【背景技術】
【０００２】
従来、運転免許証、社員証等の身分証明書に基づいて生活者の認証を行う技術がある。例えば特許文献１では、複数の会社の社員がそれぞれ所持する社員証により、各社員の身元照会を一元的に行う共通認証システムが開示されている。特許文献１によれば、当該システムを管理する管理会社のサーバ装置は、各社の社員の身分証明証データを一元的に格納したデータベースを記憶している。また、上記の社員証は、所有者である社員の身分証明証データを記憶しているＩＣカードである。各社に設置された端末装置で社員証を読み取った場合、端末装置はサーバ装置にアクセスして身元照会を行う。これにより、複数の会社の間で共通の社員証を使用することができる。
【先行技術文献】
【特許文献】
【０００３】
【特許文献１】特開２０１１−１４５８５７号公報
【発明の概要】
【発明が解決しようとする課題】
【０００４】
一方で、生活者にサービスを提供する事業者に生活者が自らの身分証明書を提示する場合がある。この場合、事業者は記録のために身分証明書の画像データを保存しておくことが一般的に行われている。しかしながら、当該画像データは事業者側で保存されるのみで、画像データの活用は行われていない。
【０００５】
特許文献１に係る発明では、身分証明書である社員証はＩＣカードであることが前提であり、身分証明書の画像データを活用することはできない。
【０００６】
本発明は斯かる事情によりなされたものであって、その目的とするところは、事業者に提示される身分証明書の画像データを活用して生活者の個人認証を行うことができる情報処理システム等を提供することにある。
【課題を解決するための手段】
【０００７】
本発明に係る情報処理システムは、端末装置、及び該端末装置と通信を行う情報処理装置を有する情報処理システムであって、前記端末装置は、前記生活者の証明写真を読み取る読取部と、該読取部が読み取った前記証明写真を前記情報処理装置に送信する送信部とを備え、前記情報処理装置は、前記各生活者の前記証明写真を含む個人情報を記憶する記憶部と、前記送信部が送信した前記証明写真を受信する受信部と、前記記憶部が記憶している前記証明写真と、前記受信部が受信した前記証明写真とが一致するか否かを判定する判定部とを備えることを特徴とする。
【０００８】
本発明に係る情報処理システムは、前記情報処理装置は、前記判定部が判定した判定結果を出力する出力部を備えることを特徴とする。
【０００９】
本発明に係る情報処理システムは、前記証明写真が一致すると前記判定部が判定した場合、前記出力部は、前記記憶部が記憶している前記個人情報を出力することを特徴とする。
【００１０】
本発明に係る情報処理システムは、前記端末装置は、文字入力を受け付ける入力部において入力された、又は前記読取部において前記証明写真を含む前記生活者の身分証明書から読み取られた、前記個人情報を示す文字情報を受け付ける受付部を備え、前記情報処理装置又は端末装置は、前記出力部が出力する前記個人情報に基づき、前記受付部が受け付けた前記文字情報の正誤を判別する判別部を備えることを特徴とする。
【００１１】
本発明に係る情報処理システムは、前記情報処理装置は、前記受信部が前記証明写真を受信した場合、前記個人情報の利用許諾を確認する利用確認通知を前記生活者宛に送信する第２送信部を備え、前記受信部は、前記個人情報の利用を許諾する旨の応答を受信し、前記受信部が前記応答を受信した場合、前記判定部は判定を行うことを特徴とする。
【００１２】
本発明に係る情報処理装置は、各生活者の証明写真を含む個人情報を記憶する記憶部と、前記証明写真を外部装置から受信する受信部と、前記記憶部が記憶している前記証明写真と、前記受信部が受信した前記証明写真とが一致するか否かを判定する判定部と、前記証明写真が一致すると前記判定部が判定した場合、前記記憶部に記憶されている前記個人情報を出力する出力部とを備えることを特徴とする。
【００１３】
本発明に係るプログラムは、各生活者の証明写真を含む個人情報を記憶部に記憶し、  前記証明写真を外部装置から取得し、前記記憶部に記憶している前記証明写真と、前記外部装置から取得した前記証明写真とが一致するか否かを判定し、前記証明写真が一致すると判定した場合、前記記憶部に記憶されている前記個人情報を出力する処理をコンピュータに実行させることを特徴とする。
【発明の効果】
【００１４】
本発明によれば、事業者に提示される身分証明書の画像データを活用して生活者の個人認証を行うことができる。
【図面の簡単な説明】
【００１５】
【図１】情報処理システムの構成例を示す模式図である。
【図２】サーバの構成例を示すブロック図である。
【図３】端末の構成例を示すブロック図である。
【図４】生活者ＤＢのレコードレイアウトの一例を示す説明図である。
【図５】画像照合処理を説明するための説明図である。
【図６】結果画面の一例を示す説明図である。
【図７】結果画面の他例を示す説明図である。
【図８】情報処理システムが実行する処理手順の一例を示すフローチャートである。
【図９】実施の形態２に係る画像照合処理を説明するための説明図である。
【図１０】実施の形態２に係る情報処理システムが実行する処理手順の一例を示すフローチャートである。
【図１１】実施の形態３に係る情報処理システムの構成例を示す模式図である。
【図１２】実施の形態３に係る管理サーバの構成例を示すブロック図である。
【図１３】実施の形態３に係る管理ＤＢのレコードレイアウトの一例を示す説明図である。
【図１４】実施の形態３に係る画像照合処理を説明するための説明図である。
【図１５】実施の形態３に係る情報処理システムが実行する処理手順の一例を示すフローチャートである。
【図１６】実施の形態３に係る情報処理システムが実行する処理手順の一例を示すフローチャートである。
【図１７】上述した形態のサーバ及び端末の動作を示す機能ブロック図である。
【発明を実施するための形態】
【００１６】
以下、本発明をその実施の形態を示す図面に基づいて詳述する。
（実施の形態１）
図１は、情報処理システムの構成例を示す模式図である。本実施の形態では、生活者にサービスを提供する事業者に対して生活者が証明写真付きの身分証明書を提示した場合に、当該身分証明書の画像データに基づいて生活者の個人認証を行う情報処理システムを一例として説明を行う。情報処理システムは、ネットワークＮを介して相互に通信接続された情報処理装置１、端末装置２、読取装置３等を含む。ネットワークＮはインターネット等である。
【００１７】
情報処理装置１は、種々の情報を記憶すると共に、ネットワークＮを介して情報の送受信を行う情報処理装置である。情報処理装置１は、例えばサーバコンピュータ、パーソナルコンピュータ等である。本実施の形態において情報処理装置１はサーバコンピュータであるものとし、サーバ１と読み替える。サーバ１は、身分証明書を発行する官公庁、企業等のサーバコンピュータであり、身分証明書に関連する情報を管理している。身分証明書は、各生活者を識別するためのカード媒体又は紙媒体であり、例えば運転免許証、健康保険証、パスポート、社員証、住民票、マイナンバーカード等である。サーバ１は、端末装置２から取得する身分証明書の画像を、データベース上に保存されている身分証明書の画像と比較して照合を行い、照合結果を端末装置２に返信する。
【００１８】
端末装置２は、生活者に対してサービスを提供するサービス事業者の店舗に設置されている端末装置であり、例えばパーソナルコンピュータ等である。本実施の形態において端末装置２はパーソナルコンピュータであるものとし、以下では端末２と読み替える。端末２は、店舗に来店した生活者の個人情報の入力を受け付けると共に、読取装置３で読み取られた画像データを情報処理装置１に送信する。
【００１９】
読取装置３は、スキャナ機能、コピー機能等を有する画像処理装置である。なお、読取装置３は画像の読み取りが可能な装置であればよい。読取装置３は事業者の店舗に設置されており、例えばＬＡＮ（Local Area Network）により端末２に接続されている。読取装置３は、証明写真を含む生活者の身分証明書の画像を読み取り、端末２に転送する。
【００２０】
図２は、サーバ１の構成例を示すブロック図である。サーバ１は、制御部１１、記憶部１２、通信部１３、大容量記憶装置１４を含む。
制御部１１は、ＣＰＵ（Central Processing Unit）、ＭＰＵ（Micro-Processing Unit）等の演算処理装置を含む。制御部１１は、記憶部１２に記憶されたプログラムＰ１を読み出して実行することにより、サーバ１に係る種々の情報処理又は制御処理等を行う。記憶部１２は、ＲＡＭ（Random Access Memory）、ＲＯＭ（Read Only Memory）等のメモリ素子を含む。記憶部１２は、制御部１１が本実施の形態に係る処理を実行するために必要なプログラムＰ１又はデータ等を記憶している。また、記憶部１２は、制御部１１が演算処理を実行するために必要なデータ等を一時的に記憶する。通信部１３は通信に関する処理を行うための処理回路等を含み、ネットワークＮを介して端末２等と情報の送受信を行う。
【００２１】
大容量記憶装置１４は、例えばハードディスク等を含む大容量の記憶装置である。大容量記憶装置１４は、生活者ＤＢ１４１等を記憶している。生活者ＤＢ１４１は、身分証明書用の証明写真を含む各生活者の個人情報を記憶している。
なお、本実施の形態において記憶部１２及び大容量記憶装置１４は一体の記憶装置として構成されていてもよい。また、大容量記憶装置１４は複数の記憶装置により構成されていてもよい。また、大容量記憶装置１４はサーバ１に接続された外部記憶装置であってもよい。
【００２２】
なお、本実施の形態においてサーバ１は上記の構成に限られず、例えば操作入力を受け付ける入力部、サーバ１に係る情報を表示する表示部、可搬型記憶媒体に記憶された情報を読み取る読取部等を含んでもよい。
【００２３】
図３は、端末２の構成例を示すブロック図である。端末２は、制御部２１、記憶部２２、通信部２３、表示部２４、入力部２５を含む。
制御部２１はＣＰＵ、ＭＰＵ等の演算処理装置を含み、記憶部２２に記憶されたプログラムＰ２を読み出して実行することにより、端末２に係る種々の情報処理又は制御処理等を行う。記憶部２２はＲＡＭ、ＲＯＭ等のメモリ素子を含み、制御部２１が処理を実行するために必要なプログラムＰ２又はデータ等を記憶している。また、記憶部２２は、制御部２１が演算処理を実行するために必要なデータ等を一時的に記憶する。通信部２３はアンテナ及び通信処理回路等を含み、ネットワークＮを介してサーバ１等と情報の送受信を行う。表示部２４は液晶ディスプレイ又は有機ＥＬ（Electro Luminescence）ディスプレイ等の画面を有し、制御部２１から与えられた画像を表示する。入力部２５はキーボード、マウス等であり、生活者による操作入力を受け付ける。入力部２５は、生活者によりなされた操作内容を制御部２１に通知する。
【００２４】
なお、本実施の形態において端末２は上記の構成に限られず、例えば音声の出力を行うスピーカ等を含んでもよい。
【００２５】
図４は、生活者ＤＢ１４１のレコードレイアウトの一例を示す説明図である。生活者ＤＢ１４１は、ＩＤ列、個人情報列、画像列を含む。ＩＤ列は、各生活者を識別するためのＩＤを記憶している。個人情報列は、ＩＤと対応付けて、生活者の個人情報を情報項目毎に記憶している。具体的に個人情報列は、生活者の氏名、住所、性別、生年月日等の情報を記憶している。なお、図４で示す個人情報の内容は一例であり、生活者ＤＢ１４１に記憶される生活者の個人情報は上記に限定されない。画像列は、ＩＤと対応付けて、生活者の身分証明書に含まれる証明写真の画像データを記憶している。
【００２６】
図５は、画像照合処理を説明するための説明図である。以下では情報処理システムが実行する処理の概要について説明する。なお、以下では説明の便宜のため、サーバ１の処理主体は制御部１１とし、端末２の処理主体は制御部２１とする。
図５では、事業者の店舗に来店した生活者が、店舗担当者に対して身分証明書を提示している様子を図示している。例えば事業者の店舗が商品を貸し出すレンタルショップである場合、生活者はサービスを受けるにあたり、事業者に対して身分証明書を提示し、会員登録などを行う。本実施の形態に係る情報処理システムは、上記のような身分証明書を提示する場面において、身分証明書に含まれる証明写真５０に基づき、身分証明書を提示した生活者の認証を行う。具体的にサーバ１の制御部１１は、事業者の店舗に設置されている読取装置３で読み取られた身分証明書の画像に含まれる証明写真５０と、生活者ＤＢ１４１に予め記憶されている証明写真５０とを比較することで、身分証明書の照合を行う。上記の場面において、事業者は記録のために身分証明書をスキャンし、画像データを保存しておくことが一般的である。本実施の形態に係る情報処理システムは、当該画像データを活用し、生活者を認証する認証サービスを提供する。
【００２７】
なお、上記では事業者の店舗がレンタルショップであるものとしたが、本実施の形態はこれに限定されるものではない。例えば事業者は、その他の商業施設、宿泊施設、医療機関、交通機関、官公庁等の事業に係る事業者であってもよい。
【００２８】
具体的には、読取装置３は事業者による操作を受けて身分証明書の画像を読み取り、端末２に転送する。端末２の制御部２１は、当該画像を取得する。また、制御部２１は入力部２５を介して、会員登録のために必要な各情報項目の個人情報の入力を受け付ける。具体的に制御部２１は、生活者の氏名、住所、性別等の情報項目について入力部２５を介して文字入力を受け付けることで、各情報項目に係る個人情報を文字情報として受け付ける。例えば生活者本人、又は生活者から個人情報の申告を受けた店舗担当者が端末２を操作し、文字情報を入力する。制御部２１は、受け付けた文字情報と、読取装置３を介して読み取った身分証明書の画像とをサーバ１に送信し、画像の照合をサーバ１に要求する。
【００２９】
サーバ１の制御部１１は、身分証明書の画像と、各情報項目に係る文字情報とを端末２から受信する。例えば制御部１１は、受信した文字情報に基づき、生活者の身分証明書に係る証明写真５０の画像を生活者ＤＢ１４１から抽出する。具体的に制御部１１は、生活者ＤＢ１４１を参照し、端末２において入力された氏名、住所、性別等の文字情報について、いずれかの文字情報と合致する個人情報を有する生活者を特定する。例えば制御部１１は、生活者ＤＢ１４１に記憶されている各生活者のうち、氏名が同一の生活者を検索し、当該生活者のＩＤを特定する。制御部１１は、特定したＩＤと対応付けて記憶されている証明写真５０の画像を生活者ＤＢ１４１から抽出する。
【００３０】
制御部１１は、生活者ＤＢ１４１から抽出した証明写真５０と、端末２から受信した身分証明書の画像に含まれる証明写真５０とが一致するか否かを判定する。具体的に制御部１１は、両画像に係る特徴量が一致するか否かを判定する。例えば身分証明書が運転免許証である場合、制御部１１は、運転免許証に含まれる証明写真５０から顔の形状等の特徴量を抽出し、比較を行う。制御部１１は当該比較処理により、証明写真５０が一致するか否かを判定する。
【００３１】
証明写真５０が一致すると判定した場合、制御部１１は、上記で特定した生活者の個人情報を生活者ＤＢ１４１から読み出す。例えば制御部１１は、端末２において入力された文字情報の情報項目に対応する氏名、住所、性別等のほかに、入力されていない情報項目に対応するメールアドレス、免許証番号等の個人情報を読み出す。すなわち制御部１１は、文字情報として入力されていない個人情報を含めて、生活者ＤＢ１４１に記憶されている全ての個人情報を読み出す。なお、制御部１１が読み出す上記の個人情報の情報項目は一例であって、本実施の形態はこれに限定されるものではない。
【００３２】
制御部１１は、生活者ＤＢ１４１から読み出した個人情報に基づき、端末２から受信した文字情報の正誤を判別する。すなわち制御部１１は、店舗に来店した生活者からの自己申告により入力された文字情報（個人情報）と、生活者ＤＢ１４１に予め登録されている個人情報とを比較して、文字情報の正誤を判別する。入力された個人情報が登録されている個人情報と合致しない場合、制御部１１は、入力された文字情報が誤りであるものと判別する。制御部１１は、文字情報に含まれる各情報項目について正誤を判別する。
制御部１１は、生活者ＤＢ１４１から読み出した個人情報と、文字情報の正誤に係る判別結果を含めて、証明写真５０が一致する旨の判定結果を端末２に送信する。
【００３３】
図６は、結果画面の一例を示す説明図である。サーバ１から判定結果に関する情報を受信した場合、端末２の制御部２１は、図６に示す結果画面を表示部２４に表示する。結果画面は、身分証明書の証明写真に基づく判定結果を示す画面である。結果画面は、判定結果を示すテキスト６１のほかに、個人情報欄６２を含む。個人情報欄６２は、端末２がサーバ１から取得した生活者の個人情報を情報項目毎に表示するための表示欄である。例えば制御部２１は、個人情報欄６２に、各情報項目の項目名に対応付けて個人情報の各内容を表示する。
【００３４】
さらに制御部２１は、個人情報欄６２において、文字入力により受け付けた文字情報の正誤に係る判別結果を表示する。具体的に制御部２１は、サーバ１から受信した判別結果を参照し、文字入力により受け付けた各情報項目の文字情報のうち、誤っている情報項目を、正しい情報項目と異なる態様で表示する。なお、図６では、誤っている情報項目に係る個人情報を、波線を付して示してある。これにより事業者は、例えば文字情報の誤入力、身分証明書を提示した生活者のなりすまし等を認識することができる。
【００３５】
また、制御部２１は、文字入力により受け付けた文字情報に係る情報項目だけでなく、その他の情報項目についても生活者の個人情報を個人情報欄６２に表示する。従って事業者は、サーバ１に登録されている個人情報を全て入手し、端末２において入力されていない情報項目を補完することができる。
【００３６】
図７は、結果画面の他例を示す説明図である。サーバ１の制御部１１は、読取装置３において読み取られた身分証明書の証明写真と生活者ＤＢ１４１に記憶されている身分証明書の証明写真とが一致しないと判定した場合、生活者の個人情報を端末２に送信せず、証明写真が一致しない旨の判定結果のみを端末２に送信する。当該判定結果を受信した場合、端末２の制御部２１は、図７に示す結果画面を表示部２４に表示する。すなわち制御部２１は、生活者の個人情報の表示を行わず、証明写真が一致しない旨の判定結果のみを結果画面に表示する。
【００３７】
図８は、情報処理システムが実行する処理手順の一例を示すフローチャートである。以下では情報処理システムが実行する処理内容について説明する。
端末２の制御部２１は、読取装置３を介して、証明写真を含む生活者の身分証明書の画像を読み取る（ステップＳ１１）。例えば生活者は、事業者の店舗においてサービスの提供を受けるにあたり、自らの身分証明書を事業者に対して提示する。読取装置３は、店舗担当者の操作に従い、提示された当該身分証明書を読み取る。制御部２１は、読み取られた身分証明書の画像データを読取装置３から取得する。
【００３８】
制御部２１は、入力部２５を介して、一部の情報項目に係る個人情報を示す文字情報の入力を受け付ける（ステップＳ１２）。具体的に制御部２１は、生活者の氏名、住所、性別等の情報項目について、入力部２５を介して文字入力を受け付ける。これにより制御部２１は、一部の情報項目に係る個人情報を文字情報として受け付ける。制御部２１は、ステップＳ１１で読み取った身分証明書の画像、及びステップＳ１２で受け付けた文字情報をサーバ１に送信する（ステップＳ１３）。
【００３９】
サーバ１の制御部１１は、上記の画像及び文字情報を端末２から受信する（ステップＳ１４）。制御部１１は、生活者ＤＢ１４１に記憶している証明写真と、ステップＳ１４で受信した身分証明書の画像に含まれる証明写真とが一致するか否かを判定する（ステップＳ１５）。例えば制御部１１は、受信した氏名、住所、性別等の文字情報について、いずれかの文字情報と合致する個人情報を有する生活者のＩＤを特定する。制御部１１は、特定した生活者のＩＤと対応付けて記憶されている証明写真の画像を生活者ＤＢ１４１から抽出する。そして制御部１１は、抽出した証明写真と、端末２から受信した画像に含まれる証明写真とが一致するか否かを判定する。具体的に制御部１１は、両画像の証明写真についてパターンマッチングを行い、画像データに係る特徴量が一致するか否かを判定する。
【００４０】
一致すると判定した場合（Ｓ１５：ＹＥＳ）、制御部１１は、一致すると判定した証明写真と対応付けて生活者ＤＢ１４１に記憶されている個人情報を読み出す（ステップＳ１６）。制御部１１は、読み出した個人情報に基づき、ステップＳ１４で受信した文字情報の正誤を判別する（ステップＳ１７）。すなわち制御部１１は、ステップＳ１２で入力された文字情報の正誤を判別する。具体的に制御部１１は、受信した個人情報に含まれる氏名、住所、性別等の個人情報と、ステップＳ１４で受信した氏名、住所、性別等の文字情報とを比較し、各情報項目について正誤を判別する。制御部１１は、ステップＳ１６で読み出した個人情報、ステップＳ１７で判別した文字情報の正誤に係る判別結果を含めて、ステップＳ１５における判定結果を端末２に送信する（ステップＳ１８）。
【００４１】
端末２の制御部２１は、生活者の個人情報を含む判定結果をサーバ１から受信する（ステップＳ１９）。制御部２１は、サーバ１から受信した個人情報、ステップＳ１７で判別された判別結果を含めて、サーバ１による判定結果を表示部２４に表示する（ステップＳ２０）。例えば制御部２１は、図６で示した結果画面を表示する。ステップＳ２０に係る結果画面は、例えば証明写真が一致する旨の判定結果のほかに、入力された情報項目に係る文字情報の正誤を判別した判別結果、文字情報として入力されていない情報項目を含む個人情報等を含む。
【００４２】
証明写真が一致しないと判定した場合（Ｓ１５：ＮＯ）、サーバ１の制御部１１は、判定結果を端末２に送信する（ステップＳ２１）。端末２の制御部２１は、判定結果を受信する（ステップＳ２２）。制御部２１は、受信した判定結果を表示部２４に表示する（ステップＳ２３）。例えば制御部２１は、図７で示した結果画面を表示する。ステップＳ２３に係る結果画面は、証明写真が一致しない旨の判定結果を示す画面である。制御部２１は、一連の処理を終了する。
【００４３】
なお、上記では、端末２における文字入力により文字情報を受け付けることとしたが、本実施の形態はこれに限定されるものではない。例えば端末２は、読取装置３を介して、ＯＣＲ（Optical Character Recognition）に係る文字認識処理により身分証明書に記載されている文字情報を取得することとしてもよい。すなわち端末２は、読取装置３において身分証明書の画像から読み取られた生活者の氏名、住所、生年月日等の書誌的事項に係る文字情報を受け付け、サーバ１に送信する。当該構成であっても、上記と同様の効果を奏する。
【００４４】
また、上記では、事業者が運営する店舗等の施設において身分証明書を提示する場合を想定したが、本実施の形態はこれに限るものではない。例えば事業者が生活者の自宅を訪問する宅配事業者等である場合、担当者が携帯する携帯端末によって身分証明書の撮像等を行い、撮像画像に基づいて認証を行ってもよい。このように、身分証明書の提示を受ける場面は所定の施設内に限定されない。
また、例えば事業者が提供するサービスは、インターネット上での宿泊施設の予約サービスのように、ネットワークＮを介して提供されるサービスであってもよい。この場合、生活者は所定の端末装置（例えば生活者が所有するスマートフォン、パーソナルコンピュータ等）により身分証明書の読取画像及び必要な文字情報を事業者宛に送信し、事業者は画像等のデータをサーバ１に転送して認証を依頼する。すなわち、事業者と生活者との間のやり取りは対面によるものに限定されず、ネットワークＮ上で行うようにしてもよい。
【００４５】
また、上記ではサーバ１が文字情報の正誤を判別することとしたが、本実施の形態はこれに限定されるものではない。例えば端末２が処理主体となって文字情報の正誤を判別してもよい。つまり、証明写真が一致すると判定された場合、端末２は生活者の個人情報をサーバ１から受信する。端末２は、受信した文字情報に基づき、事前に入力された文字情報の正誤を判別する。このように、画像の照合結果に応じて生活者ＤＢ１４１から読み出され、端末２に出力される生活者の個人情報に基づき文字情報の正誤を判別することができればよく、文字情報の正誤を判別するハードウェア上の処理主体は限定されない。
【００４６】
以上より、本実施の形態１によれば、事業者に提示される身分証明書の画像データを活用して生活者の個人認証を行うことができる。
【００４７】
また、本実施の形態１によれば、身分証明書に基づく認証結果を事業者に提供することができる。
【００４８】
また、本実施の形態１によれば、事業者は身分証明書によって生活者の個人情報を簡便に入手することができる。
【００４９】
また、本実施の形態１によれば、端末２において入力された、又は読取装置３において読み取られた文字情報の正誤を判別することで、例えばなりすましを防止することができる。
【００５０】
（実施の形態２）
本実施の形態では、生活者が身分証明書を提示するにあたり、生活者に個人情報の利用許諾を確認する形態について述べる。なお、実施の形態１と重複する内容については同一の符号を付して説明を省略する。
図９は、実施の形態２に係る画像照合処理を説明するための説明図である。符号４で示す装置は、生活者が所有する生活者端末４である。生活者端末４は、種々の情報処理が可能な携帯端末であり、例えばスマートフォン等である。生活者端末４は、サーバ１が端末２から身分証明書の画像を取得して照合処理を行うに際し、サーバ１から個人情報の利用許諾に係る通知を受ける。
【００５１】
具体的には、サーバ１の制御部１１は、生活者の身分証明書の画像、及び生活者の個人情報を示す文字情報を端末２から取得した場合、生活者に個人情報の利用許諾を確認する利用確認通知を生成する。利用確認通知は、例えば利用許諾に係る操作入力を行うためのワンタイムＵＲＬを含む期限付きの確認メールである。なお、制御部１１が生成する利用確認通知の態様は特に限定されず、例えばＳＭＳ（Short Mail Service）を利用したメール等であってもよい。また、確認メールについて設定されている期限は、サーバ１が利用許諾に関する応答を受け付ける応答期限である。制御部１１は、端末２から受信した文字情報に基づいて生活者ＤＢ１４１から生活者のメールアドレスを読み出す。制御部１１は、当該メールアドレスに係る生活者端末４に、上記の利用確認通知を送信する。
【００５２】
利用確認通知を受信した場合、生活者端末４は所定のメール画面を表示し、利用確認通知に対する利用許諾の操作入力を受け付ける。例えば生活者端末４は、上記のワンタイムＵＲＬをメール画面に表示し、当該ＵＲＬへの操作入力を受け付ける。生活者は、個人情報の利用に同意する場合、当該ＵＲＬへの操作入力を行う。操作入力を受け付けた場合、生活者端末４は、個人情報の利用を許諾する旨の応答信号を生成し、サーバ１に返信する。当該応答信号を受信した場合、サーバ１の制御部１１は、身分証明書の画像を照合し、照合結果に応じて個人情報を端末２に送信する。なお、生活者端末４からの応答を取得しないまま利用許諾通知において予め設定されている期限を経過した場合、制御部１１は照合処理を行わず、個人情報の利用を拒否された旨の拒否通知を端末２に送信する。以上より、生活者は事業者への個人情報の提供を自ら管理することができる。
【００５３】
図１０は、実施の形態２に係る情報処理システムが実行する処理手順の一例を示すフローチャートである。読取装置３において読み取られた身分証明書の画像及び端末２において入力された文字情報を端末２から受信した場合（ステップＳ１４）、サーバ１の制御部１１は、以下の処理を実行する。
制御部１１は、個人情報の利用許諾を確認する利用確認通知を生活者宛に送信する（ステップＳ２０１）。例えば制御部１１は、ステップＳ１４で受信した文字情報に基づいて身分証明書を提示した生活者を特定し、生活者ＤＢ１４１から当該生活者のメールアドレスを読み出す。制御部１１は、当該メールアドレスに係る生活者端末４に対して、利用許諾に係る操作入力を行うためのワンタイムＵＲＬを含む期限付きの確認メールを送信する。なお、当該利用確認通知は上記の確認メールに限定されるものではなく、例えばＳＭＳを利用したメール等であってもよい。
【００５４】
生活者端末４は、利用確認通知をサーバ１から受信する（ステップＳ２０２）。生活者端末４は利用確認通知に係る画面を表示し、個人情報の利用を許諾する旨の操作入力を受け付ける（ステップＳ２０３）。例えば生活者端末４は、上記の確認メールを表示し、ワンタイムＵＲＬへの操作入力を受け付ける。生活者端末４は、個人情報の利用を許諾する旨の応答信号をサーバ１に送信する（ステップＳ２０４）。例えば生活者端末４は、上記のワンタイムＵＲＬへの操作入力を受け付けた場合、利用許諾を行う旨の応答信号を生成してサーバ１に送信する。
【００５５】
サーバ１の制御部１１は、生活者端末４から送信される応答信号の受信を受け付ける（ステップＳ２０５）。制御部１１は、当該応答信号の受信の有無に基づき、生活者が個人情報の利用を許諾したか否かを判定する（ステップＳ２０６）。個人情報の利用を許諾したと判定した場合（Ｓ２０６：ＹＥＳ）、制御部１１は、処理をステップＳ１５に移行する。個人情報の利用を許諾していないと判定した場合（Ｓ２０６：ＮＯ）、制御部１１は、所定の期限を経過したか否かを判定する（ステップＳ２０７）。当該期限は、利用確認通知に対する応答期限である。期限を経過していないと判定した場合（Ｓ２０７：ＮＯ）、制御部１１は処理をステップＳ２０５に戻し、引き続き応答信号の受信を受け付ける。期限を経過したと判定した場合（Ｓ２０７：ＹＥＳ）、制御部１１は、個人情報の利用が拒否された旨の拒否通知を生成し、事業者の端末２に送信する（ステップＳ２０８）。端末２の制御部２１は、拒否通知を受信する（ステップＳ２０９）。制御部２１は当該拒否通知を表示部２４に表示し（ステップＳ２１０）、一連の処理を終了する。
【００５６】
なお、上記では生活者からの応答に基づき認証を行い、生活者ＤＢ１４１に記憶されている生活者の個人情報を全て事業者に提供することとしたが、本実施の形態はこれに限定されるものではない。例えば生活者端末４は、サーバ１に対し、一定の利用範囲で個人情報を利用するように条件を付した応答を行ってもよい。具体的には、生活者端末４は利用確認通知に係る画面において、生活者が利用を許諾する個人情報の情報項目の選択入力を受け付ける。生活者端末４は、選択された情報項目についてのみ個人情報の利用を許諾する応答信号を生成し、サーバ１に返信する。サーバ１は、生活者の個人情報を端末２に出力する場合、選択された情報項目についてのみ個人情報を出力する。これにより、生活者は事業者に提供される個人情報をさらに細かく管理することができる。
【００５７】
以上より、本実施の形態２によれば、生活者は身分証明書に基づく個人情報の取り扱いを自ら管理することができる。
【００５８】
（実施の形態３）
本実施の形態では、生活者に付与される識別情報に基づき、身分証明書の画像の照合を行う形態について述べる。
図１１は、実施の形態３に係る情報処理システムの構成例を示す模式図である。本実施の形態に係る情報処理システムは、管理サーバ５を含む。管理サーバ５は、各生活者に付与される共通ＩＤと、各生活者の個人情報とを管理する情報処理装置である。共通ＩＤは、生活者を識別するための識別情報であり、各事業者に対して生活者が共通して使用可能な識別情報である。生活者は、同一の共通ＩＤを用いて各事業者のサービスを受けることができる。すなわち、管理サーバ５はＩｄＰ（Identity Provider）として機能する。本実施の形態では、管理サーバ５がサーバ１と端末２との間の情報の送受信を仲介することで、円滑なシステム運用を図る。詳しくは後述するように、管理サーバ５は端末２から身分証明書の画像データを共通ＩＤと共に取得し、サーバ１に画像の照合を要求する。管理サーバ５は、サーバ１からの照合結果を受けて、共通ＩＤと対応付けて記憶している生活者の個人情報を読み出し、端末２に出力する。
【００５９】
図１２は、実施の形態３に係る管理サーバ５の構成例を示すブロック図である。管理サーバ５は、制御部５１、記憶部５２、通信部５３、大容量記憶装置５４を含む。各構成要素の内容は、サーバ１の制御部１１、記憶部１２、通信部１３、大容量記憶装置１４と同様なので、ここでは詳細な説明を省略する。大容量記憶装置５４は、管理ＤＢ５４１等を記憶している。管理ＤＢ５４１は、各生活者の共通ＩＤと、各生活者の個人情報とを対応付けて記憶している。
【００６０】
図１３は、実施の形態３に係る管理ＤＢ５４１のレコードレイアウトの一例を示す説明図である。管理ＤＢ５４１は、共通ＩＤ列、パスワード列、個人情報列を含む。共通ＩＤ列は、各生活者の共通ＩＤを記憶している。パスワード列は、共通ＩＤと対応付けて、パスワードを記憶している。個人情報列は、共通ＩＤと対応付けて、生活者の個人情報を情報項目毎に記憶している。
【００６１】
図１４は、実施の形態３に係る画像照合処理を説明するための説明図である。図１４に基づいて、本実施の形態に係る情報処理システムの概要について説明する。
実施の形態１と同様に、端末２の制御部２１は、読取装置３を介して身分証明書の画像を読み取る。一方で、本実施の形態において、制御部２１は生活者の個人情報を示す文字情報の入力を受け付けることなく、生活者の共通ＩＤの入力を受け付ける。上述の如く、共通ＩＤは生活者を識別するための識別情報であり、共通ＩＤによって管理サーバ５は生活者を識別可能である。そこで本実施の形態では、端末２において文字情報の入力を受け付けるのではなく、共通ＩＤの入力を受け付ける。これにより、生活者が自らの個人情報を入力する必要なく簡便に認証サービスを受けることができる。
なお、制御部２１は共通ＩＤのほかに、共通ＩＤに紐付くパスワードの入力を併せて受け付ける。制御部２１は、読取装置３を介して読み取った身分証明書の画像、及び入力部１５を介して受け付けた共通ＩＤ、パスワードを管理サーバ５に送信する。
【００６２】
上記の画像、共通ＩＤ、パスワード等のデータを端末２から受信した場合、管理サーバ５の制御部５１は管理ＤＢ５４１を参照し、受信した共通ＩＤが認証可能か否かを判定する。すなわち制御部５１は、共通ＩＤに対応付けて管理ＤＢ５４１に記憶されているパスワードと、受信したパスワードが一致するか否かを判定する。認証可能であると判定した場合、制御部５１は、身分証明書の画像の照合をサーバ１に要求する要求信号を生成し、サーバ１に送信する。なお、要求信号は、端末２から受信した画像データを含む。
【００６３】
管理サーバ５からの要求信号を受信した場合、サーバ１の制御部１１は、生活者ＤＢ１４１に記憶している証明写真と、受信した要求信号において身分証明書の画像に含まれる証明写真とが一致するか否かを判定する。制御部１１は、証明写真が一致するか否かを示す判定結果を管理サーバ５に返信する。
【００６４】
管理サーバ５の制御部５１は、判定結果をサーバ１から受信する。制御部５１は当該判定結果を参照し、生活者の個人情報を事業者に提供するか否かを判断する。具体的には、証明写真が一致するとサーバ１が判定した場合、制御部５１は生活者の共通ＩＤと対応付けて記憶されている個人情報を管理ＤＢ５４１から読み出し、端末２に送信する。この場合、端末２の制御部２１は、管理サーバ５から送信された個人情報を含む判定結果を結果画面に表示する。一方で、証明写真が一致しないとサーバ１が判定した場合、管理サーバ５の制御部５１は個人情報を送信せず、証明写真が一致しない旨の判定結果のみを端末２に転送する。端末２の制御部２１は、当該判定結果を結果画面に表示する。以上より、生活者は文字情報を入力する必要がなく、個人認証を簡便に済ませることができる。
【００６５】
図１５及び図１６は、実施の形態３に係る情報処理システムが実行する処理手順の一例を示すフローチャートである。図１５に基づき、本実施の形態に係る情報処理システムが実行する処理内容について説明する。
端末２の制御部２１は、読取装置３を介して、証明写真を含む身分証明書の画像を読み取る（ステップＳ３０１）。例えば読取装置３は、事業者の店舗においてサービスの提供を受けるにあたり生活者が事業者に提示した当該身分証明書を読み取る。制御部２１は、読み取られた身分証明書の画像データを読取装置３から取得する。
【００６６】
制御部２１は、入力部２５を介して、身分証明書を提示した生活者の共通ＩＤの入力を受け付ける（ステップＳ３０２）。共通ＩＤは、生活者を識別するための識別情報であり、生活者が各事業者に対して共通して使用する識別情報である。制御部２１は、当該共通ＩＤ、及び共通ＩＤに紐付くパスワードの入力を受け付ける。制御部２１は、ステップＳ３０１で読み取った身分証明書の画像、及びステップＳ３０２で受け付けた共通ＩＤ、パスワードを管理サーバ５に送信する（ステップＳ３０３）。
【００６７】
管理サーバ５の制御部５１は、上記の画像、共通ＩＤ、パスワードを端末２から受信する（ステップＳ３０４）。制御部５１は、管理ＤＢ５４１を参照し、ステップＳ３０４で受信した共通ＩＤが認証可能か否かを判定する（ステップＳ３０５）。すなわち制御部５１は、当該共通ＩＤに対応付けて管理ＤＢ５４１に記憶されているパスワードと、ステップＳ３０４で受信したパスワードとが一致するか否かを判定する。認証可能でないと判定した場合（Ｓ３０５：ＮＯ）、制御部５１は、生活者の認証が拒否された旨の拒否通知を端末２に送信する（ステップＳ３０６）。端末２の制御部２１は、当該拒否通知を受信する（ステップＳ３０７）。制御部２１は、拒否通知を表示部２４に表示し（ステップＳ３０８）、一連の処理を終了する。
【００６８】
図１６に移って、共通ＩＤが認証可能であると判定した場合（Ｓ３０５：ＹＥＳ）、制御部５１は、身分証明書の画像の照合をサーバ１に要求する要求信号を生成し、サーバ１に送信する（ステップＳ３０９）。要求信号は、ステップＳ３０４で受信した画像データを含む。サーバ１の制御部１１は、当該要求信号を受信する（ステップＳ３１０）。制御部１１は、生活者ＤＢ１４１に記憶している証明写真と、ステップＳ３１０で受信した要求信号において身分証明写真の画像に含まれる証明写真とが一致するか否かを判定する（ステップＳ３１１）。例えば制御部１１は、証明写真についてパターンマッチングを行い、証明写真に係る特徴量が一致するか否かを判定する。制御部１１は、証明写真が一致するか否かを示す判定結果を管理サーバ５に送信する（ステップＳ３１２）。
【００６９】
管理サーバ５の制御部５１は、判定結果をサーバ１から受信する（ステップＳ３１３）。制御部５１は受信した判定結果を読み出し、証明写真が一致したか否かを判定する（ステップＳ３１４）。一致したと判定した場合（Ｓ３１４：ＹＥＳ）、生活者の共通ＩＤと対応付けて記憶されている個人情報を管理ＤＢ５４１から読み出す（ステップＳ３１５）。制御部５１は、読み出した個人情報を含む判定結果を端末２に送信する（ステップＳ３１６）。
【００７０】
端末２の制御部２１は、生活者の個人情報を含む判定結果をサーバ１から受信する（ステップＳ３１７）。制御部２１は、管理ＤＢ５４１から受信した個人情報を含めて、サーバ１による判定結果を表示部２４に表示する（ステップＳ３１８）。例えば制御部２１は、証明写真が一致する旨の判定結果のほかに、各情報項目に係る個人情報を示す結果画面を表示する。
【００７１】
証明写真が一致しなかったと判定した場合（Ｓ３１４：ＮＯ）、管理サーバ５の制御部５１は、証明写真が一致しない旨の判定結果を端末２に送信する（ステップＳ３１９）。端末２の制御部２１は、判定結果を受信する（ステップＳ３２０）。制御部２１は、受信した判定結果を表示部２４に表示し（ステップＳ３２１）、一連の処理を終了する。
【００７２】
なお、本実施の形態３に、実施の形態２に係る利用許諾処理を適用する場合、サーバ１が利用確認通知を発信するのではなく、管理サーバ５が利用確認通知を発信してもよい。
【００７３】
また、上記で端末２は共通ＩＤと共にパスワードの入力を受け付けたが、当該パスワードは必須ではない。すなわち、管理サーバ５が身分証明書の画像と共に共通ＩＤを取得し、当該共通ＩＤに基づいて生活者を識別することができればよく、管理サーバ５における認証処理は必須ではない。
【００７４】
また、上記では、身分証明書に関する管理を行うサーバ１は１つであるものとしたが、本実施の形態はこれに限るものではない。例えば情報処理システムは、各種類の身分証明書に関する管理をそれぞれ行う複数のサーバ１、１、１…を含んでもよい。例えばサーバ１、１、１…は、運転免許証、健康保険証、パスポート…等の管理をそれぞれ行う別々の官公庁、企業等のサーバコンピュータである。各サーバ１、１、１…は、共通ＩＤを管理する管理サーバ５と連携して身分証明書の画像の照合を行う。具体的には、端末２は読取装置３を介して各種の身分証明書の画像を読み取り、共通ＩＤと共に画像データを管理サーバ５に送信する。管理サーバ５は、読み取られた身分証明書に関する管理を行ういずれかのサーバ１に画像データを転送し、照合を要求する。すなわち管理サーバ５は、身分証明書の種類に応じていずれかのサーバ１に画像データを割り振る。サーバ１は当該画像データを受信し、照合を行う。これにより、情報処理システムは複数種類の身分証明書に対応可能となり、生活者はいずれかの身分証明書を事業者に提示すればよく、認証サービスの利便性が向上する。
【００７５】
以上より、本実施の形態３によれば、情報処理システムは、生活者の共通ＩＤの入力を受け付け、証明写真が一致すると判定した場合、共通ＩＤに対応付けて管理ＤＢ５４１に記憶されている生活者の個人情報を端末２に出力する。これにより、生活者は文字情報を入力する必要がなく、個人認証を簡便に済ませることができる。
【００７６】
（実施の形態４）
図１７は、上述した形態のサーバ１及び端末２の動作を示す機能ブロック図である。制御部２１がプログラムＰ２を実行することにより、端末２は以下のように動作する。読取部１７１は、生活者の証明写真を読み取る。送信部１７２は、該読取部１７１が読み取った前記証明写真をサーバ１に送信する。
【００７７】
制御部１１がプログラムＰ１を実行することにより、サーバ１は以下のように動作する。記憶部１７３は、前記各生活者の前記証明写真を含む個人情報を記憶する。受信部１７４は、前記送信部１７２が送信した前記証明写真を受信する。判定部１７５は、前記記憶部１７３が記憶している前記証明写真と、前記受信部１７４が受信した前記証明写真とが一致するか否かを判定する。
【００７８】
本実施の形態４は以上の如きであり、その他は実施の形態１から３と同様であるので、対応する部分には同一の符号を付してその詳細な説明を省略する。
【００７９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８０】
１  サーバ（情報処理装置）
１１  制御部
１２  記憶部
Ｐ１  プログラム
１３  通信部
１４  大容量記憶装置
１４１  生活者ＤＢ
２  端末（端末装置）
２１  制御部
２２  記憶部
Ｐ２  プログラム
２３  通信部
２４  表示部
２５  入力部
３  読取装置
４  生活者端末
５  管理サーバ
５１  制御部
５２  記憶部
５３  通信部
５４  大容量記憶装置
５４１  管理ＤＢ
５０  証明写真
６１  テキスト
６２  個人情報欄
【図１】
2018032235.tif 000003
【図２】
2018032235.tif 000004
【図３】
2018032235.tif 000005
【図４】
2018032235.tif 000006
【図５】
2018032235.tif 000007
【図６】
2018032235.tif 000008
【図７】
2018032235.tif 000009
【図８】
2018032235.tif 000010
【図９】
2018032235.tif 000011
【図１０】
2018032235.tif 000012
【図１１】
2018032235.tif 000013
【図１２】
2018032235.tif 000014
【図１３】
2018032235.tif 000015
【図１４】
2018032235.tif 000016
【図１５】
2018032235.tif 000017
【図１６】
2018032235.tif 000018
【図１７】
2018032235.tif 000019